(57)【要約】【課題】透光カバーの容易な着脱を可能にする照明器具を提供する。【解決手段】実施形態の照明器具は、光ガイド空間を内側に有する筒状の枠体と、前記光ガイド空間に臨んで前記枠体の内部に設けられた光源ユニットと、前記枠体の周方向に回転されて前記枠体の内周壁に対して着脱され、前記内周壁に装着された状態で前記光源ユニットを前記光ガイド空間側から覆う透光カバーと、を備えている。【選択図】図５
2013069586.tif 000002
【特許請求の範囲】
【請求項１】
光ガイド空間を内側に有する筒状の枠体と、
前記光ガイド空間に臨んで前記枠体の内部に設けられた光源ユニットと、
前記枠体の周方向に回転されて前記枠体の内周壁に対して着脱され、前記内周壁に装着された状態で前記光源ユニットを前記光ガイド空間側から覆う透光カバーと、
を備えた照明器具。
【請求項２】
前記枠体は、前記内周壁に設けられた受け側ロック部を有し、
前記透光カバーは、前記枠体の前記内周壁に対向される外周部に設けられたカバー側ロック部を有し、
前記受け側ロック部と前記カバー側ロック部とが係合して、前記透光カバーが前記枠体に装着された状態が維持される請求項１記載の照明器具。
【請求項３】
前記枠体は、前記内周壁に設けられた受け側ストッパーを有し、
前記透光カバーは、前記枠体の前記内周壁に対向される外周部に設けられたカバー側ストッパーを有し、
前記カバー側ストッパーが前記受け側ストッパーに突き当たることで、前記内周壁に対する前記透光カバーの回転が規制される請求項１または２に記載の照明器具。
【請求項４】
前記透光カバーは、前記枠体の前記内周壁に対向される外周部に装着されたシールリングを有し、
前記透光カバーが前記枠体に装着された状態で、前記シールリングが前記内周壁に密着する請求項１〜３のいずれか１つに記載の照明器具。
【請求項５】
前記枠体の内部に設けられたソケットをさらに備え、
前記光源ユニットは、前記透光カバーと同じ方向に回転されて前記ソケットに対して着脱され、
前記光源ユニットを前記ソケットに対して装着する回転方向と、前記透光カバーを前記枠体に対して装着する回転方向とは同じであり、前記光源ユニットを前記ソケットから外す回転方向と、前記透光カバーを前記枠体から外す回転方向とは同じである請求項１〜４のいずれか１つに記載の照明器具。
【発明の詳細な説明】
【技術分野】
【０００１】
本発明の実施形態は、照明器具に関する。
【背景技術】
【０００２】
天井に埋込設置されるダウンライト型の照明器具において、光源ユニットを防塵するために光取出面側に透光カバーを取り付けた構造が知られている。光源ユニットを交換する場合には、透光カバーも外す必要がある。
【先行技術文献】
【特許文献】
【０００３】
【特許文献１】特開２００９−６４６３６号公報
【発明の概要】
【発明が解決しようとする課題】
【０００４】
透光カバーの容易な着脱を可能にする照明器具を提供する。
【課題を解決するための手段】
【０００５】
実施形態の照明器具は、光ガイド空間を内側に有する筒状の枠体と、前記光ガイド空間に臨んで前記枠体の内部に設けられた光源ユニットと、前記枠体の周方向に回転されて前記枠体の内周壁に対して着脱され、前記内周壁に装着された状態で前記光源ユニットを前記光ガイド空間側から覆う透光カバーと、を備えている。
【発明の効果】
【０００６】
本発明によれば、透光カバーの着脱作業の負担軽減が期待できる。
【図面の簡単な説明】
【０００７】
【図１】実施形態の照明器具の外観斜視図。
【図２】実施形態の照明器具の光取出口側の下面図。
【図３】実施形態の照明器具における透光カバーの斜視図。
【図４】実施形態の照明器具における枠体の内周壁の拡大斜視図。
【図５】図４に示す枠体の内周壁に透光カバーが係合した状態を表す斜視図。
【図６】実施形態の枠体に取り付けられたソケットの平面図。
【図７】ソケットの斜視図。
【図８】ソケットに着脱される光源ユニットの側面図。
【発明を実施するための形態】
【０００８】
以下、図面を参照し、実施形態について説明する。なお、各図面中、同じ要素には同じ符号を付している。
【０００９】
図１は、実施形態の照明器具１の外観斜視図である。  
図２は、照明器具１の光取出口１３側の下面図である。
【００１０】
実施形態の照明器具１は、天井に設けられた埋込孔に取り付けられるダウンライトである。実施形態の照明器具１は、主に、放熱体３０と、枠体１０と、光源ユニット５０（図８に示す）と、透光カバー６０とを有する。
【００１１】
まず、枠体１０について説明する。
【００１２】
枠体１０は、照明器具１における光取出面側の外観を構成する化粧枠として機能する。また、枠体１０は、光源ユニット５０から放出される光の配光もしくは遮光を制御する機能も有する。
【００１３】
枠体１０は、光ガイド空間１００を内側に有する筒状に形成されている。その筒状の枠体１０の軸方向の一端側（図５において上端側）の開口には放熱体３０が設けられる。枠体１０の他端側（図５において下端側）の開口は、光取出口１３として機能する。
【００１４】
枠体１０は、その内周壁１５に、図４に示す受け側ロック部１７、受け側ストッパー１６及びカバー支持部１８を一体に設けた樹脂の成形品である。また、図１に示すように、枠体１０の外周壁には、放熱フィン１１と取付ばね取付部１２が一体に設けられている。
【００１５】
図４に示す、受け側ロック部１７、受け側ストッパー１６及びカバー支持部１８は、枠体１０の内周壁１５の複数箇所（例えば３箇所）に設けられている。
【００１６】
すなわち、３つの受け側ストッパー１６が枠体１０の周方向に等間隔で設けられ、３つの受け側ロック部１７が枠体１０の周方向に等間隔で設けられ、３つのカバー支持部１８が枠体１０の周方向に等間隔で設けられている。
【００１７】
受け側ロック部１７、受け側ストッパー１６及びカバー支持部１８は、いずれも筒状の枠体１０の内側（中心軸側）に突出した突起状に形成されている。
【００１８】
カバー支持部１８は枠体１０の周方向に延び、その端部に受け側ストッパー１６が枠体１０の軸方向に延びて設けられている。すなわち、受け側ストッパー１６及びカバー支持部１８は、Ｌ字状に設けられている。
【００１９】
受け側ロック部１７は、受け側ストッパー１６に近接して、カバー支持部１８上に設けられている。受け側ロック部１７は、カバー支持部１８よりも、枠体１０の内側への突出高さが低い。また、受け側ロック部１７は、受け側ストッパー１６よりも、枠体１０の内側への突出高さが低い。
【００２０】
後述する透光カバー６０は、図４に示すＬＯＣＫ方向に回転されることで枠体１０の内周壁１５に対して装着され、ＬＯＣＫ方向の逆方向のＵＮＬＯＣＫ方向に回転されることで枠体１０から取り外される。受け側ストッパー１６は、受け側ロック部１７よりも、ＬＯＣＫ方向への回転方向側に位置する。
【００２１】
枠体１０の上端側の開口端には、金属製の放熱体３０が設けられている。放熱体３０は、枠体１０に囲まれた光ガイド空間１００の反対側に突出した複数の放熱フィン３１を有する。
【００２２】
図１に示すように、放熱フィン３１の上端には、端子台取付プレート８１がネジ止め固定されている。その取付プレート８１の下面における放熱フィン３１よりも外周側に、図２に示す端子台８３が取り付けられている。
【００２３】
枠体１０の内部であって、放熱体３０の裏側には、図６に示すように、ソケット４０が設けられる。図７に、ソケット４０のみの斜視図を表す。
【００２４】
ソケット４０は、リング状に形成され、その内周壁に係合溝４２が設けられている。また、図６に示すように、ソケット１０には、周方向に分散して複数の長孔４４が形成されている。長孔４４の裏側には、導電性接触子４３が設けられている。  
このソケット４０には、図８に示す光源ユニット５０が着脱される。
【００２５】
光源ユニット５０は、例えばＬＥＤ素子を用いた光源である。光源ユニット５０のケーシング５１内には、図示しないＬＥＤモジュール及びＬＥＤ点灯回路が収容されている。
【００２６】
ケーシング５１において、枠体１０内の光ガイド空間１００に臨む一端側は開口され、その開口に透光板５４が設けられている。透光板５４は、ケーシング５１内を外部に対して閉鎖しているとともに、ＬＥＤモジュールから放出される光に対する透過性を有する。なお、透光板５４は、光拡散性などの光学特性を有するものであってもよい。
【００２７】
また、光源ユニット５０は、ケーシング５１よりも外径サイズが小さな嵌合部５２を有する。その嵌合部５２の側壁側には、係合突起５３が設けられている。また、ケーシング５１の背面側には、複数の接続ピン５５が設けられている。
【００２８】
次に、透光カバー６０について説明する。
【００２９】
透光カバー６０は、図２に示す平面視で円形状の底部６１と、その底部６１から、図５に示す光取出口１３の反対側に突出して設けられた側壁部６２とを有する。
【００３０】
図３に、透光カバー６０のみの斜視図を表す。  
図３において、ＬＯＣＫ方向の矢印は、透光カバー６０を枠体１０に装着するときの透光カバー６０の回転方向を表し、ＬＯＣＫ方向の逆方向であるＵＮＬＯＣＫ方向の矢印は、透光カバー６０を枠体１０から外すときの透光カバー６０の回転方向を表す。
【００３１】
透光カバー６０において底部６１の反対側は開口されている。透光カバー６０は、光源ユニット５０から放出される光に対する透光性を有する樹脂材料からなる。
【００３２】
透光カバー６０の側壁部６２の外周部は、透光カバー６０を枠体１０に対して着脱するときに、枠体１０の内周壁１５に対向される。その外周部における開口側には、外周側に張り出したリブ６３が設けられている。
【００３３】
リブ６３は、透光カバー６０の周方向に沿って形成されているが、例えば３箇所に切欠き６６ａ、６６ｂが形成されている。それら３つの切欠きのうちの切欠き６６ａに隣接する位置には、リブ６３と同様に外周側に突出した第１の係合部６４が設けられている。
【００３４】
第１の係合部６４には、カバー側ロック部６４ｂとカバー側ストッパー６４ａが形成されている。カバー側ロック部６４ｂは、第１の係合部６４の外周面の一部が内周側にくぼんだくぼみとして形成されている。カバー側ストッパー６４ａは、第１の係合部６４における切欠き６６ａ側の端部として形成されている。カバー側ストッパー６４ａは、切欠き６６ａとカバー側ロック部６４ｂとの間に形成されている。
【００３５】
透光カバー６０のＬＯＣＫ方向の回転方向側から順に、切欠き６６ａ、カバー側ストッパー６４ａおよびカバー側ロック部６４ｂが並んでいる。
【００３６】
他の２つの切欠き６６ｂに隣接する位置には、それぞれ第２の係合部６５が設けられている。第２の係合部６５も、リブ６３と同様に外周側に突出している。
【００３７】
第２の係合部６５には、カバー側ストッパー６５ａが設けられている。カバー側ストッパ６５ａは、第２の係合部６５における切欠き６６ｂ側の端部として形成されている。切欠き６６ｂは、カバー側ストッパ６５ａよりも、透光カバー６０のＬＯＣＫ方向の回転方向側に形成されている。
【００３８】
第２の係合部６５の外周面には、第１の係合部６４におけるカバー側ロック部６４ｂのような、丸みをもった弧状のくぼみが形成されていない。すなわち、第２の係合部６５には、カバー側ロック部は設けられていない。
【００３９】
３つの切欠き６６ａ、６６ｂは、透光カバー６０の周方向に等間隔で設けられている。１つの第１の係合部６４および２つの第２の係合部６５も、透光カバー６０の周方向に等間隔で設けられている。
【００４０】
また、透光カバー６０の側壁部６２の外周部には、溝６７が形成されている。溝６７は、側壁部６２の周方向に沿って連続している。その溝６７には、図５に示すシールリング７０が装着される。シールリング７０は、弾性及び防水性を有する材料（例えばシリコーンなど）からなる。
【００４１】
ソケット４０は枠体１０に対して固定される。そして、実施形態によれば、光源ユニット５０はソケット４０に対して着脱でき、光源ユニット５０を交換することが可能である。さらに、透光カバー６０も枠体１０から取り外すことができるので、光源ユニット５０を枠体１０の外側に取り出すことができ、あるいは光源ユニット５０を枠体１０の光取出口１３側から内部に入れることができる。
【００４２】
ソケット４０に対する光源ユニット５０の装着時には、光源ユニット５０の嵌合部５２がソケット４０の嵌合孔４１に嵌められる。そして、光源ユニット５０の係合突起５３をソケット４０の係合溝４２に挿入して光源ユニット５０をソケット４０の周方向に回すことで、係合突起５３が係合溝４２の底壁４２ａに引っ掛かり、光源ユニット５０の落下が防止される。これにより、光源ユニット５０がソケット４０に対して装着される。
【００４３】
ソケット４０に装着された光源ユニット５０は枠体１０の内部で光ガイド空間１００に臨み、その状態でケーシング５１内のＬＥＤ素子は、透光板５４を通して、枠体１０の光取出口１３側を向く。
【００４４】
また、光源ユニット５０の接続ピン５５を、ソケット４０の長孔４４に挿入して、光源ユニット５０を装着方向（図６において時計方向）にまわすことで、接続ピン５５が導電性接触子４３に圧接する。これにより、光源ユニット５０内のＬＥＤモジュールが、ソケット４０と電気的に接続される。そして、ソケット４０は、図示しない電気ケーブルを通じて端子台８３と接続されており、端子台８３は、図示しない電気ケーブルを通じて外部電源と接続されている。
【００４５】
装着時と逆方向に光源ユニット５０をまわすことで、係合突起５３と係合溝４２との係合を解除して、光源ユニット５０をソケット４０から取り外すことができる。
【００４６】
次に、枠体１０に対する透光カバー６０の着脱について説明する。
【００４７】
透光カバー６０を枠体１０の周方向に回転させることで、透光カバー６０を枠体１０の内周壁１５に対して着脱することができる。透光カバー６０の底部６１の外面には、その外面の中心に対して対称位置に、図２に示す一対の指掛け突起６９が設けられている。その一対の指掛け突起６９の一方に親指を、他方に親指以外の指を掛けることで、容易に透光カバー６０を回転させることができる。
【００４８】
枠体１０の内周壁１５には、図２に示すように、例えば三角形状の位置決めマーク１４が形成されている。透光カバー６０における底部６１の外面にも、例えば三角形状の位置決めマーク６８が形成されている。
【００４９】
そして、透光カバー６０の装着時には、枠体１０の位置決めマーク１４に透光カバー６０の位置決めマーク６８を位置合わせして、透光カバー６０の外周部を枠体１０の内周壁１５に対向させる。
【００５０】
その状態で、透光カバー６０の切欠き６６ａ、６６ｂは、枠体１０の内周壁１５に設けられた受け側ロック部１７、受け側ストッパー１６及びカバー支持部１８に対向する位置に位置決めされる。すなわち、透光カバー６０のリブ６３が、枠体１０の受け側ロック部１７、受け側ストッパー１６及びカバー支持部１８にぶつからない。
【００５１】
透光カバー６０の第１の係合部６４と第２の係合部６５は、それぞれ、切欠き６６ａ、６６ｂよりも、ＬＯＣＫ回転方向の反対方向側に位置する。そして、透光カバー６０をＬＯＣＫ回転方向に回転させると、第１の係合部６４のカバー側ストッパー６４ａと、第２の係合部６５のカバー側ストッパー６５ａが、枠体１０における受け側ストッパー１６に突き当たって、透光カバー６０の回転が規制される。
【００５２】
図５には、第１の係合部６４が、受け側ロック部１７、受け側ストッパー１６及びカバー支持部１８に係合した状態を表す。
【００５３】
第１の係合部６４及び第２の係合部６５は、カバー支持部１８上に乗って支持される。これにより、透光カバー６０の落下が防止される。
【００５４】
さらに、第１の係合部６４については、そのカバー側ロック部６４ｂに、枠体１０の受け側ロック部１７がはまり込み、透光カバー６０の周方向位置がロックされる。これにより、透光カバー６０のＵＮＬＯＣＫ方向への回転が規制され、透光カバー６０が枠体１０に装着された状態が維持される。
【００５５】
第１の係合部６４は樹脂材料からなり可撓性または弾性を有する。したがって、第１の係合部６４の切欠き６６ａ側の端部が撓むことで受け側ロック部１７の突起を乗り越え、カバー側ロック部６４ｂに受け側ロック部１７を嵌め込むことができる。
【００５６】
第２の係合部６５における切欠き６６ｂ側の端部は、第１の係合部６４ほどには外周側に突き出ていない。したがって、第２の係合部６５は、受け側ロック部１７に係合することなく、第２の係合部６５のカバー側ストッパー６５ａが受け側ストッパー１６に突き当たる。
【００５７】
透光カバー６０が、枠体１０の内周壁１５に装着された状態で、透光カバー６０は光源ユニット５０を光取出口１３側から覆う。さらに、透光カバー６０が枠体１０の内周壁１５に装着された状態で、透光カバー６０の外周部に装着されたシールリング７０が弾性変形して内周壁１５に密着する。したがって、透光カバー６０によって、光源ユニット５０の防塵及び防水を実現できる。
【００５８】
透光カバー６０を枠体１０から外すときは、装着するときとは逆のＵＮＬＯＣＫ方向に透光カバー６０をまわして、カバー側ロック部６４ｂと受け側ロック部６４ｂとの係合を解除する。そして、透光カバー６０の位置決めマーク６８を、枠体１０の位置決めマーク１４に一致させる位置まで戻すと、受け側ロック部１７、受け側ストッパー１６及びカバー支持部１８が切欠き６６ａ、６６ｂに対向する。これにより、受け側ロック部１７、受け側ストッパー１６及びカバー支持部１８による干渉を受けずに、透光カバー６０を枠体１０の光取出口１３側に抜き出すことができる。
【００５９】
ここで、比較例として、透光カバーを枠体の軸方向に移動させて、透光カバーに設けたツメを、枠体に設けた溝に圧入して、透光カバーを枠体に装着する構造について考える。この比較例のようにツメを用いた圧入構造は、透光カバーの着脱に際しての操作性が悪く、また、透光カバーが枠体に対して確実に取り付けられているのが確認しづらい。
【００６０】
実施形態によれば、透光カバー６０を、枠体１０の軸方向に圧入するのではなく、枠体１０の周方向に回転させることで枠体１０に対して着脱できる。このため、着脱操作が容易であり、透光カバー６０の着脱作業に不慣れな人にも負担とならない。
【００６１】
また、光源ユニット５０をソケット４０に対して装着する回転方向と、透光カバー６０を枠体１０に対して装着する回転方向とは同じであり、光源ユニット５０をソケット４０から外す回転方向と、透光カバー６０を枠体１０から外す回転方向とは同じである。このため、光源ユニット５０の着脱操作と透光カバー６０の着脱操作との操作イメージを共有化でき、操作ミスを起こしにくい。
【００６２】
また、実施形態によれば、透光カバー６０の外周部に設けた２つの係合部のうち、１つの係合部（第１の係合部６４）だけにロック部６４ｂを設け、他の２つの係合部（第２の係合部６５）にはロック部を設けていない。
【００６３】
すなわち、枠体１０の受け側ロック部１７と、透光カバー６０のカバー側ロック部６４ｂとの嵌合箇所を１箇所に制限することで、透光カバー６０を外すときには、無理な力をかけなくてもＵＮＬＯＣＫ方向に回転しやすくなる。
【００６４】
透光カバー６０が枠体１０に装着された状態では、透光カバー６０の外周部の溝６７に設けられたシールリング７０が枠体１０の内周壁１５に密着する。その密着部の摩擦力により、ロック箇所が１箇所だけでも、透光カバー６０の安定した装着状態の維持が可能となる。
【００６５】
枠体１０の側壁部の外壁には、図１に示すように、複数（例えば３つ）の取付ばね取付部１２が設けられている。それぞれの取付ばね取付部１２には、板ばねである取付ばね８２の一端部が差し込まれて固定される。
【００６６】
そして、照明器具１は、３つの取付ばね８２の弾性を利用して、天井に設けられた埋込孔に取り付けられる。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
１…照明器具、１０…枠体、１３…光取出口、１６…受け側ストッパー、１７…受け側ロック部、１８…カバー支持部、３０…放熱体、４０…ソケット、５０…光源ユニット、６０…透光カバー、６４ａ，６５ａ…カバー側ストッパー、６４ｂ…カバー側ロック部、６６ａ，６６ｂ…切欠き、７０…シールリング、１００…光ガイド空間
【図１】
2013069586.tif 000003
【図２】
2013069586.tif 000004
【図３】
2013069586.tif 000005
【図４】
2013069586.tif 000006
【図５】
2013069586.tif 000007
【図６】
2013069586.tif 000008
【図７】
2013069586.tif 000009
【図８】
2013069586.tif 000010